(57)【要約】【課題】  通話中であることを示す情報や通信情報を表示することしかできず、接続先との通話中では、その発信に用いた電子情報コンテンツを表示して再確認することができなかった。【解決手段】  接続先情報に対応する相手先との通信中に、当該通信中の相手先との通信情報を表示する（Ｓ７０８）とともに、その相手先との通信中に、当該通信中の接続先情報に関連する関連情報の表示が選択されると（Ｓ７０９）、その関連情報を取得して（Ｓ７１４又はＳ７１５）、その関連情報を表示する（Ｓ７１６）。【選択図】    図６
2005079839.tif 000002
【特許請求の範囲】
【請求項１】
相手先の接続先情報に基づいて当該相手先への発信を指示する発信指示手段と、
前記発信指示手段の指示に基づいて、通信回線を介して前記相手先と通信する通信手段と、
前記接続先情報に関連する関連情報を記憶する記憶手段と、
前記通信手段による前記接続先情報に対応する前記相手先との通信中に、当該通信中の前記相手先との通信情報を表示する通信情報表示手段と、
前記通信手段による前記接続先情報に対応する前記相手先との通信中に、当該通信中の接続先情報に関連する関連情報を表示する関連情報表示手段と、
前記通信情報或いは前記関連情報の表示を選択する表示選択手段と、
前記表示選択手段の選択に応じて前記通信情報或いは前記関連情報を表示するように制御する表示制御手段と、
を有することを特徴とする通信装置。
【請求項２】
前記発信指示手段は、表示されたホームページの電話番号表示を指示することにより発信を指示することを特徴とする請求項１に記載の通信装置。
【請求項３】
前記関連情報は、電子メール本文或いはホームページ情報を含むことを特徴とする請求項１又は２に記載の通信装置。
【請求項４】
前記関連情報の存在位置を示す位置情報を記憶する位置情報記憶手段と、
前記関連情報を前記記憶手段から読み出して表示するか、前記相手先から取得して表示するかを選択する選択手段とを更に有し、
前記選択手段が、前記相手先から前記関連情報を取得して表示するように選択している場合、前記表示制御手段は、前記位置情報記憶手段に記憶されている前記位置情報を参照して、前記通信手段により前記相手先に発信して前記相手先の接続情報に関連する関連情報を取得して表示することを特徴とする請求項１乃至３のいずれか１項に記載の通信装置。
【請求項５】
相手先の接続先情報に基づいて当該相手先へ発信して通信を行うことができる通信装置における通信制御方法であって、
接続先情報に関連する関連情報をメモリに記憶する工程と、
接続先情報に対応する相手先との通信中に、当該通信中の前記相手先との通信情報を表示する通信情報表示工程と、
前記接続先情報に対応する前記相手先との通信中に、当該通信中の接続先情報に関連する関連情報を表示する関連情報表示工程と、
前記通信情報或いは前記関連情報の表示を選択する表示選択工程と、
前記表示選択工程の選択に応じて前記通信情報或いは前記関連情報を表示するように制御する表示制御工程と、
を有することを特徴とする通信制御方法。
【請求項６】
前記発信指示工程では、表示されたホームページの電話番号表示を指示することにより発信を指示することを特徴とする請求項５に記載の通信制御方法。
【請求項７】
前記関連情報は、電子メール本文或いはホームページ情報を含むことを特徴とする請求項６又は７に記載の通信制御方法。
【請求項８】
前記関連情報の存在位置を示す位置情報を記憶する位置情報記憶工程と、
前記関連情報を前記メモリから読み出して表示するか、前記相手先から取得して表示するかを選択する選択工程とを更に有し、
前記選択工程で、前記相手先から前記関連情報を取得して表示するように選択されている場合、前記表示制御工程では、前記位置情報記憶工程で記憶されている前記位置情報を参照して、前記相手先に発信して前記相手先の接続情報に関連する関連情報を取得して表示することを特徴とする請求項５乃至７のいずれか１項に記載の通信制御方法。
【請求項９】
請求項５乃至８のいずれか１項に記載の通信制御方法を実行することを特徴とするプログラム。
【請求項１０】
請求項９に記載のプログラムを記憶したことを特徴とするコンピュータにより読取り可能な記憶媒体。
【請求項１１】
相手先の接続先情報に基づいて当該相手先へ発信して通信を行うことができる通信装置における通信制御方法であって、
接続先情報に対応する相手先との通信中に、当該通信中の接続先情報に関連する関連情報を表示するように指示する関連情報表示指示工程と、
前記関連情報を記憶しているメモリから読み出して前記関連情報を取得するか、或いは前記相手先にアクセスして前記関連情報を取得するかを選択する選択工程と、
前記関連情報表示指示工程で前記関連情報の表示が指示された場合、前記選択工程により前記相手先にアクセスして前記関連情報を取得するように選択されていると、通信中の前記相手先にアクセスして前記関連情報を取得する取得工程と、
前記取得工程で取得した前記関連情報を表示する表示工程と、
を有することを特徴とする通信制御方法。
【発明の詳細な説明】
【技術分野】
【０００１】
本発明は、情報通信モードを用いて電子情報コンテンツを取得できる通信装置及びその装置における通信制御方法に関するものである。
【背景技術】
【０００２】
従来の通信端末装置において、接続先との間で通話を行っている際、表示部に通話中であることを示す情報を表示するものがある。また通話中に所定のユーザ操作が行われると、その通話に関する通信情報（通信時間や、接続先の名前、接続先の情報等）を表示するものがある。
【０００３】
近年、接続先の情報をテンキーや電子電話帳を用いて入力して発信する方法（以後「第１の発信方法」と呼ぶ）の他に、電子情報コンテンツを表示手段に表示し、その表示されている電子情報コンテンツに含まれている接続先情報を選択・指示して、その接続先情報に対応する接続先に発信できる（以後「第２の発信方法」と呼ぶ）通信端末装置が出現している。
【特許文献１】特開２０００−２５３１７６
【発明の開示】
【発明が解決しようとする課題】
【０００４】
しかし、これら発信方法により接続先に発信して通話できる通信端末装置では、通話中であることを示す情報や通信情報を表示することしかできなかった。そのためユーザは、前述の第１或いは第２の発信方法を用いて接続先に発信した後、その発信に用いた電子情報コンテンツを表示して再確認することができなかった。例えば、ユーザが飲食店からの出前を取ろうと思い、その飲食店のホームページを開いて、その店の電話番号を選択して第２の発信方法により発信した時、その表示部には通話中を示す情報、又は通信情報が表示される。この状態で、ユーザが、その飲食店のメニューを再確認したいと思った場合は、その飲食店のホームページを再び表示部に表示する必要があるが、従来の装置では、通話中に、その発信に使用した電子情報コンテンツ、ここでは飲食店のホームページを再表示する手段を有していないため、ユーザは、その飲食店のメニューを再確認することができなかった。
【０００５】
本発明は上記問題点に鑑みてなされたもので、通信中に通信情報を表示することに加え、その相手先の接続先情報に関連する関連情報を表示できる通信装置及びその通信制御方法を提供することにある。
【課題を解決するための手段】
【０００６】
上記目的を達成するために本発明の通信装置は以下のような構成を備える。即ち、
相手先の接続先情報に基づいて当該相手先への発信を指示する発信指示手段と、
前記発信指示手段の指示に基づいて、通信回線を介して前記相手先と通信する通信手段と、
前記接続先情報に関連する関連情報を記憶する記憶手段と、
前記通信手段による前記接続先情報に対応する前記相手先との通信中に、当該通信中の前記相手先との通信情報を表示する通信情報表示手段と、
前記通信手段による前記接続先情報に対応する前記相手先との通信中に、当該通信中の接続先情報に関連する関連情報を表示する関連情報表示手段と、
前記通信情報或いは前記関連情報の表示を選択する表示選択手段と、
前記表示選択手段の選択に応じて前記通信情報或いは前記関連情報を表示するように制御する表示制御手段とを有することを特徴とする。
【０００７】
上記目的を達成するために本発明の通信装置における通信制御方法は以下のような工程を備える。即ち、
相手先の接続先情報に基づいて当該相手先へ発信して通信を行うことができる通信装置における通信制御方法であって、
接続先情報に関連する関連情報をメモリに記憶する工程と、
接続先情報に対応する相手先との通信中に、当該通信中の前記相手先との通信情報を表示する通信情報表示工程と、
前記接続先情報に対応する前記相手先との通信中に、当該通信中の接続先情報に関連する関連情報を表示する関連情報表示工程と、
前記通信情報或いは前記関連情報の表示を選択する表示選択工程と、
前記表示選択工程の選択に応じて前記通信情報或いは前記関連情報を表示するように制御する表示制御工程とを有することを特徴とする。
【発明の効果】
【０００８】
本願発明によれば、通信中であっても、その発信に用いた接続先情報に関連する関連情報を表示して再確認できる。
【発明を実施するための最良の形態】
【０００９】
以下、添付図面を参照して本発明の好適な実施例を詳しく説明する。但し、この実施例に記載されている構成要素の相対配置、表示画面等は、特に特定的な記載がない限りは、この発明の範囲を限定する趣旨のものではない。
【実施例】
【００１０】
図１は、本発明の実施例に係る通信端末装置の一例である電話機の構成例を示すブロック図である。
【００１１】
図１において、１００は中央演算処理部（ＣＰＵ）で、ＲＯＭ１０１に記憶されている制御プログラムに従ってこの装置全体の動作を制御している。ＲＯＭ１０１は、ＣＰＵ１００で実行されるプログラムやデータ等を記憶している。１０２は不揮発性ＲＡＭで、個人データ、電話帳などのバックアップ用のデータを格納している。１０３は記憶部（ＤＲＡＭ）で、ＣＰＵ１００による制御処理の実行時のワークデータ、電子情報コンテンツデータ、接続先情報データ、表示情報フラグデータ、表示用データ等を記憶している。１０４は電子情報コンテンツ変換部で、通信部１０８により受信した電子情報コンテンツを表示用データへ変換する。１０５は表示部で、受信した電子情報コンテンツデータや、この装置の状態などを表示する。１０６は操作部で、テンキーや表示部等を備える。１０８は通信部で、回線１０９に接続されて外部と通信するためのモデムなどを含み、回線１０９を介して他の通信端末との間でデータの送受信を実行することができる。上述した各処理部は、システムバス１１０を介して相互に接続されている。
【００１２】
図２は、本実施例に係る表示部１０５の構成を示すブロック図である。
【００１３】
この表示部１０５は、ＣＰＵ１００より入力される、或いは電子情報コンテンツ変換部１０４により電子情報コンテンツを変換した表示データを記憶するＶＲＡＭ２００と、このＶＲＡＭ２００の内容をドットマトリクスＬＣＤ２０２に出力して表示させるためのＬＣＤドライバ２０１とを含んでいる。
【００１４】
図３は、本実施例のＤＲＡＭ１０３のメモリマップを示す図である。
【００１５】
ＤＲＡＭ１０３はそれぞれＣＰＵ１００のワークとして使われるＣＰＵワークエリア、通信部１０８及び回線１０９を用いて取得した電子情報コンテンツを格納する電子情報コンテンツ格納エリア８０１、その電子情報コンテンツ内に接続先情報が含まれていた場合、その接続先情報を格納する接続先情報格納エリア８０２（本実施例では接続先情報として電話番号が用いられる）、前述の第２の発信方法を用いて発信した際に電子情報コンテンツを表示するように、ユーザ操作が行われたとき電子情報コンテンツ格納エリア８０１に格納されている電子情報コンテンツを表示するか、或いは電子情報コンテンツ位置情報格納エリア８０４が示す位置（アドレス）に存在する電子情報コンテンツを表示するかを判断する表示方法フラグ格納エリア８０３、電子情報コンテンツの位置情報を格納する電子情報コンテンツ位置情報格納エリア８０４、表示データを記憶する表示用データ格納エリア８０５、及びその他のデータを記憶するその他のデータ格納エリア８０６を備えている。
【００１６】
尚、本実施例に係る電子情報コンテンツとしては、電子メール、インターネットのホームページなど、接続先情報が記載できる様々な電子情報が考えられ、その形態は、本実施例に限定されるものではない。
【００１７】
この実施例では、電子情報コンテンツ格納エリア８０１には、電子メールや、過去に表示されたホームページのコンテンツが格納されている。また、電子情報コンテンツ位置情報格納エリア８０４には、電子情報コンテンツがホームページであった場合には、そのホームページのＵＲＬが格納され、電子情報コンテンツが電子メールであった場合は、その電子メールの格納位置へのポインタが位置情報となる。
【００１８】
図４は、本実施例に係る通信端末装置（電話機）の操作部１０６の外観構成図である。
【００１９】
この操作部１０６は、ＬＣＤ（液晶表示部）２０２、電話番号などを入力するためのテンキー５０２、機能設定などに用いる機能キー５０３、マルチ入力に用いる４つのファンクションキー５０４（Ｆ１〜Ｆ４）、及び設定入力キーであるセットキー５０５と、表示部のカーソル移動などに用いる左右上下方向キー５０６を含む。
【００２０】
ここで第１の発信方法による発信操作ついて説明する。この第１の発信方法では、テンキー５０２を用いて電話番号を入力して発呼する、或いは、不揮発性ＲＡＭ１０２に格納されている個人データ、又は電子電話帳に登録されている電話番号情報を用いて、操作部１０５の操作によって発信する方法である。
【００２１】
次に第２の発信方法による発信操作ついて説明する。
【００２２】
回線１０９及び通信部１０８を通じて電子情報コンテンツを受信し、その受信したデータを記憶部１０３の電子情報コンテンツ格納エリア８０１へ記憶する。こうして記憶された電子情報コンテンツは、電子情報コンテンツ変換部１０４に渡されて表示データに変換され、再度記憶部１０３の表示用データ格納エリア８０５に、表示用のビットマップデータとして記憶される。更に、この表示用データ格納エリア８０５に記憶されたデータの中の表示されるべきデータは、表示部１０５のＶＲＡＭ２００に送られた後、ＬＣＤドライバ２０１でドライブされ、ドットマトリクスＬＣＤ２０２に表示される。こうして表示された電子情報コンテンツの電話番号を、ユーザが操作部１０６を用いて選択することによって、その電話番号で発信することができる。
【００２３】
この第２の発信方法の捕捉として、電子情報コンテンツを取得した時に電話番号を選択する場合と、電子情報コンテンツを取得して装置に保存し、後に何らかの手段を用いて電子情報コンテンツを表示し、所望の電話番号を選択する場合と２種類が考えられる。
【００２４】
なお、本実施例に係る通信端末装置（電話機）においては、電子情報コンテンツとして、電子メール及びインターネットを通じて取得するホームページを用いることにするが、本願発明はこれに限定されるものではない。
【００２５】
図５は、前述の第２の発信方法を用いて発信した際に電子情報コンテンツを表示するようにユーザ操作が行われたときＤＲＡＭ１０３の電子情報コンテンツ格納エリア８０１に格納されている電子情報コンテンツを表示するか、或いは電子情報コンテンツ位置情報格納エリア８０４が示す位置に存在する電子情報コンテンツを表示するかを判断する表示方法フラグ（表示方法フラグ格納エリア８０３）をセットする処理を示すフローチャートである。
【００２６】
ここではステップＳ９０１で、ユーザが、操作部１０６を用いて表示方法フラグを所望の値にセットする。こうしてセットされた値は、ＤＲＡＭ１０３の表示方法フラグ格納エリア８０３に格納される。尚、この操作は、例えば機能キーＦ１が押下されてＬＣＤ２０２に対応する項目が表示され、左右上下方向キー５０６により表示方法フラグの設定を選択し、続いて、その表示方法フラグをオン（ＤＲＡＭ１０３の電子情報コンテンツ格納エリア８０１に格納されている電子情報コンテンツを表示する）、或いはオフ（電子情報コンテンツ位置情報格納エリア８０４が示す位置に存在する電子情報コンテンツを表示する）にするかを左右上下方向キー５０６を使用して選択し、最後にセットキー５０５を押下することにより、その表示方法フラグをオン或いはオフにセットできる。
【００２７】
図６は、本実施例に係る通信端末装置において、前述の第２の発信方法を用いて電話を発信してから通話中に表示を行い、ユーザ操作があった場合に、電子情報コンテンツを表示して通話を終了するまで処理の流れを示すフローチャートである。
【００２８】
まずステップＳ７０１で、第２の発信方法を用いて電話をかけるために電子情報コンテンツを表示部１０５に表示する。この表示する手段は、電子情報コンテンツ格納エリア８０１に記憶されている電子情報コンテンツを用いる場合と、通信部１０８、回線１０９を用いて取得した電子情報コンテンツを用いる場合のいずれでも良い。次にステップＳ７０２に進み、ここで表示した電子情報コンテンツに接続先情報である電話番号が含まれていつかどうかをみる。電話番号が含まれていない場合には、第２の発信方法を用いて発信することができないのでこのフローチャートによる処理を終了し、含まれている場合にはステップＳ７０２に進む。
【００２９】
図７（Ａ）〜（Ｅ）は、図６のフローチャートで示す操作に対応して表示部１０５に表示される表示例を示す図である。
【００３０】
図７（Ｂ）は、電子情報コンテンツとして電子メールを用いた際に表示部１０５に表示される表示例を示す図である。
【００３１】
図７（Ｂ）の６２１には、電子メールの本文及び電話番号が記載されている。６２２は、その記載されている電話番号に電話を発信するための電子ボタンである。
【００３２】
また図７（Ｃ）は、電子情報コンテンツとしてホームページを用いた際に表示部１０５に表示される表示例を示している。ここで６３１には、ホームページの内容及び電話番号が記載されている。６３２は、その記載されている電話番号に電話を発信するための電子ボタンである。
【００３３】
再び図６に戻り、ステップＳ７０２では、表示方法フラグ格納エリア８０３に記憶されている表示方法フラグの状態を確認する。この表示方法フラグは、図５のフローチャートを参照して前述したように、その設定値として「メモリ内の電子情報を表示」（オン）、「電子情報コンテンツ位置情報を用いて電子情報コンテンツを取得して表示」（オフ）の２種類を選択することができる。ここで「メモリ内の電子情報を表示」が設定されていた場合はステップＳ７０３に進み、ステップＳ７０１で表示した電子情報コンテンツが電子情報コンテンツ格納エリア８０１に記憶されているか判定する。ここで記憶されていない場合はステップＳ７０４に進み、その表示している電子情報コンテンツを電子情報コンテンツ格納エリア８０１に記憶してステップＳ７０７に進む。
【００３４】
一方、ステップＳ７０２で表示方法フラグがオフ、即ち、「電子情報コンテンツ位置情報を用いて電子情報コンテンツを取得して表示」が設定されている場合はステップＳ７０５に進み、その表示した電子情報コンテンツの接続先情報が電子情報コンテンツ位置情報格納エリア８０４に記憶されているか判定し、記憶されていないときはステップＳ７０６に進んで、ステップＳ７０１で表示した電子情報コンテンツの位置情報（ｈｔｔｐ）を電子情報コンテンツ位置情報格納エリア８０４に記憶してステップＳ７０７に進む。
【００３５】
こうしてステップＳ７０７に進むと、前述の図７（Ｂ）或いは図７（Ｃ）に示すような画面が表示部１０５に表示されていることになる。この状態で、ユーザが操作部１０６を操作して、電子ボタン６２２又は電子ボタン６３２を指示して「電話をかける」ように選択する（「第２の発信方法」による発信を指示する）と、この装置は通信状態になる。これによりステップＳ７０８に進み、表示部１０５に通話中であることを示す情報や通信情報（通信時間や、接続先相手の名前、接続先情報など）を表示する。これ以後、通話中であることを示す情報や通信情報（通信時間や、接続先相手の名前、接続先情報など）を表示した表示部を通話中表示と呼ぶ。
【００３６】
図７（Ａ）は、この通話中表示画面の一例を示す図で、「第１の発信方法」又は「第２の発信方法」を用いて発信した際の表示部１０５の表示例を示している。図（Ａ）において、６１１は、通信情報を示す表示例を示し、ここでは通話時間が表示されている。６１２は「電子情報コンテンツの表示を指示するための」電子ボタンで、このボタン６１２を操作部１０６により操作・選択することによって、通話中の電子情報コンテンツを表示させることができる。
【００３７】
次に図６において、前述のステップＳ７０６で通話中表示を行った後はステップＳ７０９に進み、操作部１０６を用いて電子ボタン６１２が指示されたか、即ち、通話中の電子情報コンテンツの表示が指示されたかをみる。電子情報コンテンツの表示が指示されていない場合はステップＳ７１０に進み、前述のステップＳ７０８と同様に表示部１０５に通話中表示を行ってステップＳ７１１に進み、通信が切断されたかを監視する。通信が切断されると、この処理を終了するが、通信が切断されていない場合は再びステップＳ７０９に戻って、前述の処理を実行する。
【００３８】
ステップＳ７０９で通話中の電子情報コンテンツの表示が指示されるとステップＳ７１３に進み、表示方法フラグ格納エリア８０３の表示方法フラグの状態を確認する。ここでオン、即ち、「メモリ内の電子情報を表示」が設定されているとステップＳ７１４に進み、電子情報コンテンツ格納エリア８０１に格納されている電子情報コンテンツを読み出してステップＳ７１６に進み、その電子情報コンテンツを電子情報コンテンツ変換部１０４で表示用データに変換して表示部１０５に表示する。このようにして、電子情報コンテンツ格納エリア８０１に格納されている電子情報コンテンツを表示することによって、ユーザは再接続する時間を指定でき、料金を節約することができる。
【００３９】
一方、ステップＳ７１３で、表示方法フラグがオフ、即ち、「電子情報コンテンツ位置情報を用いて電子情報コンテンツを取得して表示」が設定されていた場合はステップＳ７１５に進み、電子情報コンテンツ位置情報格納エリア８０４から、その電子情報コンテンツの位置情報（アドレス）を取得し、その電子情報コンテンツ位置情報に基づいて、例えばそのホームページにアクセスして、その電子情報コンテンツを取得する。そしてステップＳ７１６に進み、その取得した電子情報コンテンツを電子情報コンテンツ変換部１０４で表示用データに変換して表示部１０５に表示する。
【００４０】
このように、表示方法フラグにより「電子情報コンテンツ位置情報を用いて電子情報コンテンツを取得して表示」が設定されているときは、その電子情報コンテンツの位置情報（アドレス）に基づいて再度、そのホームページに接続して電子情報コンテンツを取得することによって、常に最新の情報を参照することができる。
【００４１】
またユーザは、表示方法フラグを自分の環境に合わせて設定することによって最適の動作を選択することができる。
【００４２】
図７（Ｄ）及び（Ｅ）は、ステップＳ７１６で表示される電子情報コンテンツの表示例を示している。
【００４３】
図７（Ｄ）は、電子情報コンテンツとして電子メールを用いたときの電子情報コンテンツの表示例で、６４１は電子メールの内容を示している。６４２は「電話中表示画面に戻る」ように指示するための電子ボタンで、通話中表示画面に戻る手段を提供している。又図７（Ｅ）は、電子情報コンテンツとしてホームページを用いたときの電子情報コンテンツの表示例を示し、６５１はホームページの内容を示している。６５２は「電話中表示画面に戻る」ように指示するための電子ボタンで、通話中表示画面に戻る手段を提供している。
【００４４】
こうしてステップＳ７１６で、通話中での電子情報コンテンツが表示されるとステップＳ７１７に進み、通信が切断されたかを監視し、通信が切断されるとこの処理を終了する。一方、通信が切断されないときはステップＳ７１２に進み、ユーザが操作部１０６を用いて、図７（Ｄ）の電子ボタン６４２又は図７（Ｅ）の電子ボタン６５２を指示したかを判定する。ここで「電話中表示画面に戻る」ように指示された場合はステップＳ７１０に進み、表示部１０５の表示を通話中表示に戻す。そうでない場合はステップＳ７１６に進み、電子情報コンテンツの表示を継続する。
【００４５】
以上説明したように、図６のステップＳ７０９からステップＳ７１７までの処理によって、ユーザは、随時、通話中表示と電子情報コンテンツ表示とを切り替えて表示することができるので、いつでも所望の情報を得ることができる。
【００４６】
［第２実施例］
以上説明した第１実施例では、「第２の発信方法」で発信した場合について説明したが、本発明はこれに限定されるものでなく、「第１の発信方法」による発信の場合においても同様に、通話中に電子情報コンテンツの表示を行なえるようにすることもできる。
【００４７】
この場合には、着信履歴と電子情報コンテンツやその位置情報を対応付けたテーブルを用意しておき、前述の図６のステップＳ７０１において、テンキーや電子電話帳を用いて接続先を入力した場合、そのテーブルを参照して、その入力した接続先情報に対応する電子情報コンテンツを表示する。
【００４８】
その後は、前述の第１実施例と同様の処理を行ない、ユーザは通話中表示と電子情報コンテンツ表示を切り換えることができる。
【００４９】
以上に説明したように本実施例によれば、従来技術にある相手先の電話番号（相手先の名前が特定できる場合はその名前）や通話時間等の通話中の通信情報を表示できることに加え、ユーザ操作によって、通話中であっても、発信元の電子情報コンテンツを表示できる。これにより、通話中であっても、所望のタイミングで発信元の電子情報コンテンツを表示して確認することができる。
【００５０】
［他の実施例］
本発明の目的は前述したように、本実施例の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施例の機能を実現することになり、そのプログラムコードを記憶した記憶媒体は本発明を構成することになる。このようなプログラムコードを供給するための記憶媒体としては、例えば、フロッピィディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００５１】
また、コンピュータが読み出したプログラムコードを実行することにより、前述した実施例の機能が実現されるだけでなく、そのプログラムコードの指示に基づき、コンピュータ上で稼動しているＯＳ（オペレーティングシステム）などが実際の処理の一部又は全部を行い、その処理によって前述した実施例の機能が実現される場合も含まれている。
【００５２】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施例の機能が実現される場合も含む。
【図面の簡単な説明】
【００５３】
【図１】本発明の実施例に係る通信端末装置の構成を示したブロック図である。
【図２】本発明の実施例に係る通信端末装置の表示部の構成を示したブロック図である。
【図３】本発明の実施例に係る通信端末装置の記憶部の構成を示したブロック図である。
【図４】本実施例に係る通信端末装置の操作部の構成を示したブロック図である。
【図５】本実施例に係る通信端末装置の通話中の表示に利用する電子情報コンテンツの取得方法にかかわる表示方法フラグを設定するフローチャートである。
【図６】本実施例に係る通信端末装置において、第２の発信方法を用いて電話を発信してから通話中表示画面を表示し、ユーザ操作によって表示を切り替える処理を説明するフローチャートである。
【図７】本実施例に係る通信端末装置における表示画面の一例を示す図で、（Ａ）は通話中の表示画面例、（Ｂ）は電子メールの表示画面、（Ｃ）はホームページの表示画面、（Ｄ）は通話中の電子メール表示画面、そして（Ｅ）は通話中のホームページの表示画面例をそれぞれ示している。
【図１】
2005079839.tif 000003
【図２】
2005079839.tif 000004
【図３】
2005079839.tif 000005
【図４】
2005079839.tif 000006
【図５】
2005079839.tif 000007
【図６】
2005079839.tif 000008
【図７】
2005079839.tif 000009